(57)【特許請求の範囲】
【請求項１】
操作部の画面に表示する画面データを、前記画面データが表示されるレイヤの上位のレイヤに設定されるブラウザ上に、ネットワークを介して接続された他の装置からの遠隔操作を可能とするリモートパネル画面として表示させる第１の表示機能部と、
前記ブラウザ上にデータ記述言語のコンテンツ画面を表示させる第２の表示機能部と、
前記コンテンツ画面を前記ブラウザ上に表示中に、前記操作部のハードキーの特定のキーが操作されたときに、前記ブラウザ内に前記リモートパネル画面と前記コンテンツ画面とを分割表示させる第３の表示機能部と、
を備えることを特徴とする画像形成装置。
【請求項２】
前記第１の表示機能部は、前記ブラウザ上でのリモート操作を可能にする
ことを特徴とする請求項１に記載の画像形成装置。
【請求項３】
前記第２の表示機能部は、前記リモートパネル画面の操作に関連するコンテンツ画面を表示させる
ことを特徴とする請求項１または２に記載の画像形成装置。
【請求項４】
前記第３の表示機能部は、前記リモートパネル画面に関連する操作と前記コンテンツ画面に関連する操作とを連動させる
ことを特徴とする請求項３に記載の画像形成装置。
【請求項５】
前記データ記述言語のコンテンツは、ページごとに分割表示時の画面表示比率に関する属性を持っており、
前記第３の表示機能部は、前記属性に応じて、分割表示時の前記リモートパネル画面と前記コンテンツ画面との画面表示比率を変更する
ことを特徴とする請求項１〜４のいずれか１項に記載の画像形成装置。
【請求項６】
前記画面表示比率は、前記属性ごとにあらかじめ決められている
ことを特徴とする請求項５に記載の画像形成装置。
【請求項７】
前記第３の表示機能部は、ユーザによる指令に応じて、前記属性ごとにあらかじめ決められている前記画面表示比率を変更する
ことを特徴とする請求項６に記載の画像形成装置。
【請求項８】
前記第３の表示機能部は、前記リモートパネル画面と前記コンテンツ画面との分割表示中に、前記コンテンツ画面に関連する操作が行われたときに、当該操作の操作内容に応じて画像形成装置の操作部制御部に制御命令を送信し、前記操作部の画面の操作を行わせる
ことを特徴とする請求項１〜７のいずれか１項に記載の画像形成装置。
【請求項９】
前記第３の表示機能部は、前記リモートパネル画面と前記コンテンツ画面との分割表示中に、前記リモートパネル画面に関連する操作が行われ、前記ブラウザの画面遷移が発生したときに、画像形成装置のブラウザ制御部に遷移先画面情報を送信し、前記コンテンツ画面を当該遷移先画面情報に対応するページへ遷移させる
ことを特徴とする請求項１〜７のいずれか１項に記載の画像形成装置。
【請求項１０】
操作部の画面に表示する画面データを、前記画面データが表示されるレイヤの上位のレイヤに設定されるブラウザ上に、ネットワークを介して接続された他の装置からの遠隔操作を可能とするリモートパネル画面として表示させる第１の処理と、
前記ブラウザ上にデータ記述言語のコンテンツ画面を表示させる第２の処理と、
前記コンテンツ画面を前記ブラウザ上に表示中に、前記操作部のハードキーの特定のキーが操作されたときに、前記ブラウザ内に前記リモートパネル画面と前記コンテンツ画面とを分割表示させる第３の処理と、
をコンピュータに実行させることを特徴とする画像形成装置の制御プログラム。
【請求項１１】
前記第１の処理では、前記ブラウザ上でのリモート操作を可能にする
ことを特徴とする請求項１０に記載の画像形成装置の制御プログラム。
【請求項１２】
前記第２の処理では、前記リモートパネル画面の操作に関連するコンテンツ画面を表示させる
ことを特徴とする請求項１０または１１に記載の画像形成装置の制御プログラム。
【請求項１３】
前記第３の処理では、前記リモートパネル画面に関連する操作と前記コンテンツ画面に関連する操作とを連動させる
ことを特徴とする請求項１２に記載の画像形成装置の制御プログラム。
【請求項１４】
前記データ記述言語のコンテンツは、ページごとに分割表示時の画面表示比率に関する属性を持っており、
前記第３の処理では、前記属性に応じて、分割表示時の前記リモートパネル画面と前記コンテンツ画面との画面表示比率を変更する
ことを特徴とする請求項１０〜１３のいずれか１項に記載の画像形成装置の制御プログラム。
【請求項１５】
前記画面表示比率は、前記属性ごとにあらかじめ決められている
ことを特徴とする請求項１４に記載の画像形成装置の制御プログラム。
【請求項１６】
前記第３の処理では、ユーザによる指令に応じて、前記属性ごとにあらかじめ決められている前記画面表示比率を変更する
ことを特徴とする請求項１５に記載の画像形成装置の制御プログラム。
【請求項１７】
前記第３の処理では、前記リモートパネル画面と前記コンテンツ画面との分割表示中に、前記コンテンツ画面に関連する操作が行われたときに、当該操作の操作内容に応じて画像形成装置の操作部制御部に制御命令を送信し、前記操作部の画面の操作を行わせる
ことを特徴とする請求項１０〜１６のいずれか１項に記載の画像形成装置の制御プログラム。
【請求項１８】
前記第３の処理では、前記リモートパネル画面と前記コンテンツ画面との分割表示中に、前記リモートパネル画面に関連する操作が行われ、前記ブラウザの画面遷移が発生したときに、画像形成装置のブラウザ制御部に遷移先画面情報を送信し、前記コンテンツ画面を当該遷移先画面情報に対応するページへ遷移させる
ことを特徴とする請求項１０〜１６のいずれか１項に記載の画像形成装置の制御プログラム。
【発明の詳細な説明】
【技術分野】
【０００１】
本発明は、画像形成装置及び画像形成装置の制御プログラムに関する。
【背景技術】
【０００２】
画像形成装置を携帯端末でリモート操作する技術がある（例えば、特許文献１参照）。特許文献１には、携帯端末に画像形成装置の操作部とテンキーとを同時に表示させるリモートパネル（リモート操作画像）において、操作部とテンキーのどちらを優先表示させるかによって表示サイズを変更して表示させる技術が開示されている。
【先行技術文献】
【特許文献】
【０００３】
【特許文献１】特開２０１５−８２１４８号公報
【発明の概要】
【発明が解決しようとする課題】
【０００４】
ところで、複写機、プリンタ装置、印刷機、複合機等の画像形成装置において、近年、紙文書（紙媒体）の電子化に伴い、ユーザマニュアル等の説明書も電子化され、装置の操作部の画面上で確認できるようになってきている。しかし、一般的には、操作部上に表示される画面は一種類であるために、ユーザマニュアル等の説明書を操作部の画面上に表示させていると、操作画面を確認することができない。そのため、ユーザマニュアル等の説明書を見ながら操作部を操作するというこれまで紙文書を見ながら行っていた操作ができなくなる。また、操作部が操作されていない場合に、広告やスクリーンセーバーを操作部の画面上に流すと、装置の状態を確認することができない。特許文献１に記載の従来技術は、これらの課題について考慮されておらず、ユーザマニュアル等の説明書を見ながら操作部を操作することはできない。
【０００５】
そこで、本発明は、データ記述言語のコンテンツ画面を見ながら、操作部の操作や閲覧を可能とする画像形成装置及び当該画像形成装置の制御プログラムを提供することを目的とする。
【課題を解決するための手段】
【０００６】
上記目的を達成するために、本発明の画像形成装置は、
操作部の画面に表示する画面データを、画面データが表示されるレイヤの上位のレイヤに設定されるブラウザ上に、ネットワークを介して接続された他の装置からの遠隔操作を可能とするリモートパネル画面として表示させる第１の表示機能部と、
ブラウザ上にデータ記述言語のコンテンツ画面を表示させる第２の表示機能部と、
コンテンツ画面をブラウザ上に表示中に、操作部のハードキーの特定のキーが操作されたときに、ブラウザ内にリモートパネル画面とコンテンツ画面とを分割表示させる第３の表示機能部と、を備えることを特徴とする。
【０００７】
また、本発明の画像形成装置の制御プログラムは、
操作部の画面に表示する画面データを、画面データが表示されるレイヤの上位のレイヤに設定されるブラウザ上に、ネットワークを介して接続された他の装置からの遠隔操作を可能とするリモートパネル画面として表示させる処理と、
ブラウザ上にデータ記述言語のコンテンツ画面を表示させる処理と、
コンテンツ画面をブラウザ上に表示中に、操作部のハードキーの特定のキーが操作されたときに、ブラウザ内にリモートパネル画面とコンテンツ画面とを分割表示させる処理と、
をコンピュータに実行させることを特徴とする。
【０００８】
上記構成の画像形成装置あるいはその制御プログラムにおいて、ブラウザ内にリモートパネル画面とデータ記述言語のコンテンツ画面とを分割表示することで、ユーザマニュアル等の説明書をコンテンツ画面上で見ながらリモートパネル画面上で操作を行うことができることになる。データ記述言語のコンテンツとしては、ユーザマニュアルに限られるものではなく、ユーザマニュアルの他に、サービスアシスタントツールや広告表示スクリーンセーバーなどを例示することができる。
【発明の効果】
【０００９】
本発明によれば、データ記述言語のコンテンツ画面を見ながら、操作部の操作や閲覧が可能になるため、画像形成装置の操作性を向上できる。
【図面の簡単な説明】
【００１０】
【図１】本発明の画像形成装置を含むネットワークシステムの構成の一例を示すシステム構成図である。
【図２】本発明の画像形成装置の制御系の構成を示すブロック図である。
【図３】本発明の画像形成装置の制御系における本体制御部の機能系の構成の一例を示す機能ブロック図である。
【図４】ユーザマニュアル画面とリモートパネル画面とを分割表示する実施例１の表示例を示す図である。
【図５】リモートパネル画面の一例である操作部のデフォルト画面を示す拡大図である。
【図６】ユーザマニュアル画面とリモートパネル画面とを分割表示する実施例１の表示処理の手順の一例を示すフローチャートである。
【図７】ブラウザ分割表示の際の画面表示比率の設定画面を示す図である。
【図８】「リモートパネル重視」の場合の分割表示の表示例を示す図である。
【図９】ブラウザ分割表示の際の画面表示比率の変更処理の手順の一例を示すフローチャートである。
【図１０】ユーザマニュアル画面に関連する操作に、リモートパネル画面に関連する操作を連動させる実施例２（その１）の表示例を示す図である。
【図１１】リモートパネル画面の他の例であるコピー機能の設定画面を示す拡大図である。
【図１２】リモートパネル画面に関連する操作に、ユーザマニュアル画面に関連する操作を連動させる実施例２（その２）の表示例を示す図である。
【図１３】リモートパネル画面に関連する操作と、ＨＴＭＬコンテンツ画面に関連する操作とを連動させる実施例２の表示処理の手順の一例を示すフローチャート（その１）である。
【図１４】リモートパネル画面に関連する操作と、ＨＴＭＬコンテンツ画面に関連する操作とを連動させる実施例２の表示処理の手順の一例を示すフローチャート（その２）である。
【発明を実施するための形態】
【００１１】
以下、本発明を実施するための形態（以下、「実施形態」と記述する）について図面を用いて詳細に説明する。本発明は実施形態に限定されるものではない。なお、以下の説明や各図において、同一要素又は同一機能を有する要素には同一符号を用いることとし、重複する説明は省略する。
【００１２】
［ネットワークシステム］
図１は、本発明の画像形成装置を含むネットワークシステムの構成の一例を示すシステム構成図である。図１に示すように、本ネットワークシステム１０は、本発明の画像形成装置１と端末装置の一例であるクライアントＰＣ（Personal Computer）２とが通信回線３を介して通信可能な構成となっている。通信回線３としては、公衆回線、専用回線、インターネット、ＬＡＮ（Local Area Network）回線等を例示することができる。
【００１３】
画像形成装置１としては、複写機、プリンタ装置、印刷機、複合機等を例示することができる。複合機は、ＭＦＰ（Multi Function Peripheral）とも呼ばれ、複数の異なる機能、例えばコピー、プリント、ファックス、スキャン等の機能を併せ持った装置である。画像形成装置１は、操作部１１を備えている。
【００１４】
ここでは、操作部１１について、画像形成装置１の上方に突出した状態で配置した例を示しているが、画像形成装置１の上面上に平面的に（フラットな状態で）配置した構成を採ることもできる。操作部１１は、例えば、液晶表示装置や有機ＥＬ（Electro Luminescence）等のパネル型ディスプレイからなるタッチパネル１１Ａと、ハードキー１１Ｂとから構成されている。
【００１５】
［画像形成装置の制御系の構成］
次に、本発明の画像形成装置１の制御系の構成について、図２を参照して説明する。図２は、本発明の画像形成装置１の制御系の構成を示すブロック図である。
【００１６】
画像形成装置１は、操作部１１の他に、画像読取部１２、画像処理部１３、画像形成部１４、給紙部１５、定着部１６、ＨＤＤ１７、通信部１８及び本体制御部１９を備えている。操作部１１、画像読取部１２、画像処理部１３、画像形成部１４、給紙部１５、定着部１６、ＨＤＤ１７、通信部１８及び本体制御部１９は、システムバス２０に対して接続されている。
【００１７】
画像読取部１２は、原稿台に載置された原稿の画像を読み取り、その読み取った画像情報をＡ（アナログ）／Ｄ（デジタル）変換して画像データを生成する。画像読取部１２で生成された画像データは、画像処理部１３に供給される。画像処理部１３は、画像読取部１２でＡ／Ｄ変換によって作成された画像データに対し、必要に応じて、シェーディング補正、画像濃度調整、画像圧縮等の画像処理を行う。なお、画像データとしては、画像読取部１２から出力されるデータに限定されず、画像形成装置１に接続されたクライアントＰＣ２や他の画像形成装置などの外部装置から受信したデータであってもよい。
【００１８】
画像形成部１４は、画像処理部１３によって画像処理された画像データを受け取り、当該画像データに基づいて、給紙部１５から給紙される記録媒体である用紙上に画像を形成する。定着部１６は、用紙を加圧・加熱して、画像形成部１４で用紙に転写されたトナー像を用紙に定着させる。ＨＤＤ１７は、画像読取部１２で読み取って得た原稿画像の画像データを記憶する、あるいは出力済みの画像データ等を記憶する。
【００１９】
通信部１８は、外部の情報処理装置であるクライアントＰＣ２から送信されるジョブ情報を、通信回線３を介して受け取り、この受け取ったジョブ情報を、システムバス２０を介して本体制御部１９に送る。ジョブ情報には、形成する画像の画像データと、その画像データに対応付けられて使用する用紙の種類及び枚数などの情報が含まれている。
【００２０】
本体制御部１９は、例えば、ＣＰＵ（Central Processing Unit）１９１と、ＣＰＵ１９１が実行するプログラム等を記憶するためのＲＯＭ（Read Only Memory）１９２と、ＣＰＵ１９１の作業領域として使用されるＲＡＭ（Random Access Memory）１９３と、を有している。なお、ＲＯＭ１９２としては、例えば、電気的に消去可能なプログラマブルＲＯＭを用いることができる。
【００２１】
本体制御部１９は、操作部１１、画像読取部１２、画像処理部１３、画像形成部１４、給紙部１５、定着部１６、ＨＤＤ１７及び通信部１８にそれぞれシステムバス２０を介して接続されており、画像形成装置１の全体を制御する。
【００２２】
［本体制御部の機能構成の一例］
次に、本体制御部１９が有する種々の機能系のうち、操作部１１を制御する機能系について、図３を用いて説明する。図３は、本発明の画像形成装置１の制御系における本体制御部１９の機能系の構成の一例を示す機能ブロック図である。
【００２３】
図３に示すように、本体制御部１９は、操作部１１を制御する操作部制御部２１と、ブラウザ（画像形成装置１に搭載された内蔵ブラウザ）を制御するブラウザ制御部２２と、内部ストレージ２３と、を有する構成となっている。本体制御部１９おいて、操作部制御部２１及びブラウザ制御部２２は、ＣＰＵ１９１（図２参照）による制御の下に、操作部１１を制御する機能及びブラウザを制御する機能を有する機能部である。
【００２４】
操作部１１は、通常、操作部制御部２１による制御の下に操作パネル画面の表示を行うが、ブラウザ制御部２２によるブラウザの起動時は全画面でブラウザ表示（ブラウザ画面の表示）を行う。ブラウザ表示時は、通常、操作パネル画面はブラウザ画面よりも低位のレイヤに設定される。したがって、ブラウザ表示時は、操作パネル画面は表示されないことになる。
【００２５】
ブラウザ制御部２２は、内部の記憶装置である内部ストレージ２３や、外部の記憶装置である外部サーバ４に保存されているデータ記述言語のコンテンツ情報を基にコンテンツ画面をブラウザに表示する。データ記述言語としては、ＨＴＭＬ（Hyper Text Markup Language）が広く知られている。以下では、データ記述言語の一例であるＨＴＭＬのコンテンツを「ＨＴＭＬコンテンツ」と記述する。また、ＨＴＭＬコンテンツに基づく表示画面を「ＨＴＭＬコンテンツ画面」と記述する。
【００２６】
通信回線３を介して画像形成装置１とクライアントＰＣ２とが接続された図３に示すシステムは、例えば、ネットワークに繋がった他の装置の画面を遠隔操作するソフトウェアであるＶＮＣ（Vertual Network Computing：登録商標）を利用したリモートパネルシステムとなっている。すなわち、リモートパネルの機能とは、ＬＡＮ回線等の通信回線３を介して接続された画像形成装置１を遠隔から操作する機能である。
【００２７】
具体的には、操作部制御部２１は、通信回線３を介して接続されたクライアントＰＣ２からリモートパネル接続されると、操作部１１への画面表示、即ちリモートパネル画面の表示に加えて、リモートパネル表示用に画像を生成し、クライアントＰＣ２に送信する。すると、クライアントＰＣ２は、操作部制御部２１から送信された画像をブラウザ上に表示する。これにより、遠隔のクライアントＰＣ２から操作部１１を閲覧・操作することが可能になる。
【００２８】
また、リモートパネルは、画像形成装置１に搭載されたブラウザが利用可能な環境であれば当該ブラウザを使用することができる。したがって、画像形成装置１においては、操作部１１上でブラウザを起動した場合、操作部１１上でもリモートパネル画面の表示が可能である。
【００２９】
［本発明の一実施形態］
本発明の一実施形態に係る画像形成装置１は、操作部１１上でブラウザを起動した際、操作部１１上でもリモートパネル画面の表示が可能であることを踏まえ、次の機能部を備えることを特徴とする。すなわち、本実施形態に係る画像形成装置１は、まず、操作部１１の画面に表示する画面データをブラウザ上にリモートパネル画面として表示させる第１の表示機能部と、ブラウザ上にＨＴＭＬコンテンツ画面を表示させる第２の表示機能部と、を備える。本実施形態に係る画像形成装置１はさらに、ブラウザ内にリモートパネル画面とＨＴＭＬコンテンツ画面とを分割表示させる第３の表示機能部を備える。
【００３０】
上記の第１の表示機能部、第２の表示機能部及び第３の表示機能部は、図３の本体制御部１９の機能部である操作部制御部２１及びブラウザ制御部２２による制御の下に実行される機能である。操作部制御部２１及びブラウザ制御部２２による制御の下に、ブラウザ内にリモートパネル画面とＨＴＭＬコンテンツ画面とを分割表示することで、ユーザマニュアル等の説明書をＨＴＭＬコンテンツ画面上で見ながら、リモートパネル画面上で操作部１１の操作や閲覧を行うことができる。このときのＨＴＭＬコンテンツ画面は、リモートパネル画面の操作に関連するコンテンツ画面ということになる。
【００３１】
また、ＨＴＭＬコンテンツの操作と操作部１１の操作とを連動させることもできるために、煩雑な操作の必要がない、使い勝手のよいユーザマニュアルを提供することが可能となる。ＨＴＭＬコンテンツの操作と操作部１１の操作とを連動させるか否かについては、一例として、連動の必要あり／なしのフラグなどを用いることによって判断する手法を採るようにすることができる。
【００３２】
以下に、本実施形態に係る画像形成装置１において、ブラウザ内にリモートパネル画面とＨＴＭＬコンテンツ画面とを分割表示する具体的な実施例について説明する。
【００３３】
（実施例１）
実施例１は、ユーザマニュアル画面とリモートパネル画面とを分割表示する場合の例である。図４に、ユーザマニュアル画面とリモートパネル画面とを分割表示する実施例１の表示例を示す。
【００３４】
ユーザがユーザマニュアルを起動すると、ブラウザ上にＨＴＭＬコンテンツ画面の一例であるユーザマニュアル画面３１が表示される。このとき、ユーザが操作部１１において、例えばハードキー１１Ｂ（図１参照）の特定のキーを押下することにより、ブラウザがフレームで２分割表示される。具体的には、図４に示すように、２分割表示の片方にユーザマニュアル画面３１が、もう片方にリモートパネル画面３２が表示される。これにより、ユーザマニュアル画面３１と操作部１１の画面（即ち、リモートパネル画面３２）との同時閲覧が可能となる。
【００３５】
図５に、図４のリモートパネル画面３２の一例を拡大して示す。ここで例示するリモートパネル画面３２は、操作部１１の例えばデフォルト画面である。このデフォルト画面は、情報表示領域Ｒ１０１と、設定画面遷移領域Ｒ１０２〜Ｒ１１１と、簡易設定領域Ｒ１１２と、を有する。情報表示領域Ｒ１０１は、画像形成装置１に関する情報を表示する。具体的には、情報表示領域Ｒ１０１は、例えば、入力されたジョブに関する情報、補給／廃棄部材（トナー、パンチくず、ステープル針等）に関する情報、用紙に関する情報（用紙のサイズ、名称、斤量、残量等）等を表示する。
【００３６】
設定画面遷移領域Ｒ１０２〜Ｒ１１１は、所定の動作条件を設定するための設定画面へ遷移するための領域である。例えば、「コピー」領域Ｒ１０４を押下することで、コピー機能の設定画面に遷移し、「オートリセット設定」領域Ｒ１１１を押下することで、オートリセット機能の設定画面に遷移する。簡易設定領域Ｒ１１２は、所定の指定された機能について簡便に画像形成装置１の動作条件を設定するための領域である。ユーザは、簡易設定領域Ｒ１１２を操作することで、当該動作条件の設定画面による動作条件の設定動作を経由することなく、当該動作条件を設定することができる。
【００３７】
なお、ここで例示したリモートパネル画面３２の表示例は一例であって、この表示例に限られるものではない。
【００３８】
また、本実施例では、リモートパネルとユーザマニュアルとの同時表示（２分割表示）を例に挙げているが、ＨＴＭＬコンテンツとしてのユーザマニュアルは一例に過ぎない。ユーザマニュアルの他に、例えば、サービスアシスタントツールや広告表示スクリーンセーバーなどもリモートパネルと同時表示させるＨＴＭＬコンテンツとして扱うことができる。
【００３９】
図６は、ユーザマニュアル画面３１とリモートパネル画面３２とを分割表示する実施例１の表示処理の手順の一例を示すフローチャートである。この表示処理は、本体制御部１９のＣＰＵ１９１（図２参照）による制御の下に実行されるものとする。
【００４０】
ＣＰＵ１９１は、ユーザによるマニュアル操作によってＨＴＭＬコンテンツ画面の表示指示を受けると（ステップＳ１１）、画像形成装置１のブラウザ（内蔵ブラウザ）を起動し、ユーザマニュアル画面３１を表示させる（ステップＳ１２）。続いて、ＣＰＵ１９１は、ユーザによって操作部１１におけるハードキー１１Ｂ（図１参照）の特定のキーが押下されたか否かを判断する（ステップＳ１３）。ここでは、ユーザがハードキー１１Ｂの特定のキーを押下したときに、分割表示の指示を行われたものと判断する。すなわち、ステップＳ１３の処理は、分割表示の指示があったか否かの判断処理となる。
【００４１】
ＣＰＵ１９１は、ユーザによる特定のキーの押下がなければ（Ｓ１３のＮＯ）、分割表示のための一連の処理を終了する。特定のキーの押下があれば（Ｓ１３のＹＥＳ）、ＣＰＵ１９１は、ブラウザ上にユーザマニュアル画面３１とリモートパネル画面３２とを分割表示し（ステップＳ１４）、リモートパネルを起動して分割表示領域にリモートパネル画面３２を表示させ（ステップＳ１５）、しかる後分割表示のための一連の処理を終了する。
【００４２】
ところで、リモートパネルでの操作部１１の画面表示は、画像データ（画面データ）に基づく表示で行っている。したがって、分割表示におけるリモートパネル画面３２の拡大・縮小が容易である。そこで、ユーザマニュアルのページごとに、例えば、「ＨＴＭＬコンテンツ重視」、「リモートパネル重視」、「同比率」、というような画面表示比率に関する属性をＨＴＭＬのタグ等に持たせるようにする。このように、画面表示比率に関する属性をユーザマニュアルのページごとに持たせることで、ユーザマニュアル画面３１とリモートパネル画面３２との画面表示比率を変更させることができる。
【００４３】
また、画像形成装置１に対しても同様に、内部ストレージ２３（図３参照）に、「ＨＴＭＬコンテンツ重視」、「リモートパネル重視」でそれぞれ何対何の比率で画面表示を行うかの情報を持たせるようにすることも可能である。これにより、ユーザマニュアル画面３１とリモートパネル画面３２との画面表示比率の設定は、リモートパネル上でユーザが任意に行うことが可能となる。
【００４４】
図７に、ブラウザ分割表示の際の画面表示比率の設定画面を示している。図７に示すように、画面表示比率は、「ＨＴＭＬコンテンツ重視」、「リモートパネル重視」の属性ごとにあらかじめ決められている。また、属性ごとにあらかじめ決められている画面表示比率を、ユーザが任意の値に変更できるようにすることもできる。この場合、例えば図３において、本体制御部１９が、操作部１１からのユーザによる指令に応じて、画面表示比率を任意の値に変更する処理を行うようにすればよい。
【００４５】
図７には、「ＨＴＭＬコンテンツ重視」では、ＨＴＭＬコンテンツとリモートパネルとの画面表示比率を３：１とし、「リモートパネル重視」では、ＨＴＭＬコンテンツとリモートパネルとの画面表示比率を１：３としている。ただし、この画面表示比率は一例であって、これに限られるものではない。図８に、「リモートパネル重視」の場合、即ちＨＴＭＬコンテンツとリモートパネルとの画面表示比率が１：３の場合の分割表示の表示例を示す。
【００４６】
ここで、ブラウザ分割表示の際の画面表示比率の変更処理について図９を用いて説明する。図９は、ブラウザ分割表示の際の画面表示比率の変更処理の手順の一例を示すフローチャートである。この表示処理は、本体制御部１９のＣＰＵ１９１（図２参照）による制御の下に実行されるものとする。
【００４７】
図９のフローチャートにおいて、ステップＳ２１のブラウザ分割表示処理は、図６のステップＳ１１〜Ｓ１４の処理であり、またステップＳ２２の処理は図６のステップＳ１５に対応している。これにより、ブラウザ上にユーザマニュアル画面３１とリモートパネル画面３２とが分割表示された状態にある。
【００４８】
続いて、ＣＰＵ１９１は、ＨＴＭＬコンテンツ（本例の場合、ユーザマニュアル）のページ遷移が発生した否かを監視する（ステップＳ２３）。この監視処理は、ステップＳ２３において、ＮＯのループを繰り返すことによって実行される。そして、ＣＰＵ１９１は、ＨＴＭＬコンテンツのページ遷移が発生したと判断すると（Ｓ２３のＹＥＳ）、遷移先の画面表示比率の属性の抽出を実施し（ステップＳ２４）、次いで、抽出した属性が「同比率」であるか否かを判断する（ステップＳ２５）。
【００４９】
ＣＰＵ１９１は、属性が「同比率」でなければ（Ｓ２５のＮＯ）、抽出した属性に応じての画面表示比率を変更し（ステップＳ２６）、属性が「同比率」であれば（Ｓ２５のＹＥＳ）、ステップＳ２６の処理をバイパスしてステップＳ２７の処理に移行する。ステップＳ２７において、ＣＰＵ１９１は、分割表示の終了か否かを判断し、分割表示の終了でなければ（Ｓ２７のＮＯ）、ステップＳ２５に戻ってステップＳ２５〜Ｓ２７の処理を繰り返して実行する。そして、ＣＰＵ１９１は、分割表示の終了と判断すると（Ｓ２７のＹＥＳ）、ブラウザ分割表示の場合における画面表示比率を変更するための一連の処理を終了する。
【００５０】
（実施例２）
実施例２は、リモートパネル画面に関連する操作と、ＨＴＭＬコンテンツ画面に関連する操作とを連動させる例である。実施例２によれば、分割表示時（同時表示時）に、例えば、ＨＴＭＬコンテンツ画面の一例であるユーザマニュアル画面３１を操作すると、その操作内容に連動して操作部１１の操作、即ちリモートパネル画面３２に関連する操作が自動的に行われることになる。
【００５１】
まず、ユーザマニュアル画面３１に関連する操作に、リモートパネル画面３２に関連する操作を連動させる場合について、実施例２（その１）として説明する。一例として、図１０に示すように、ユーザマニュアル画面３１でコピー機能を指定し、コピーの応用設定画面に遷移する方法を閲覧している場合について説明する。
【００５２】
図１０は、ユーザマニュアル画面３１に関連する操作に、リモートパネル画面３２に関連する操作を連動させる実施例２（その１）の表示例を示す図である。図１１に、図１０のリモートパネル画面３２の他の例を拡大して示す。ここで例示するリモートパネル画面３２は、用紙に画像形成を行うコピー機能の設定画面である。ただし、ここで例示したリモートパネル画面３２の表示例は一例であって、この表示例に限られるものではない。
【００５３】
実施例２（その１）では、以下の(1)〜(4)の処理が実行される。
(1) ユーザマニュアル画面３１の目次から、図１０に矢印で示すように、コピー機能の項目を選択する。
(2) ユーザマニュアル画面３１はコピー機能の説明ページに遷移する。
このとき、図３において、ブラウザ制御部２２は、コピー機能の説明ページに遷移したことを検知し、操作部制御部２１に対して操作部１１の操作の情報を送信する。具体的には、操作された座標と操作情報が、ブラウザ制御部２２から操作部制御部２１に対して送られる。今回の例の場合は、コピータブがある座標がタッチされたという情報が送られ、操作部１１の画面、即ちリモートパネル画面３２がコピー画面に遷移する。
(3) 続いて、ユーザマニュアル画面３１のコピー機能のページから詳細設定の項目を選択する。
(4) (2)と同様に、ユーザマニュアル画面３１のページが応用設定ページに遷移し、操作部制御部２１に応用設定ボタンの座標がタッチされた情報が送信され、操作部１１の表示が応用設定画面に遷移する。
【００５４】
続いて、リモートパネル画面３２に関連する操作に、ユーザマニュアル画面３１に関連する操作を連動させる、具体的にはリモートパネル側を操作して画面遷移が発生した場合に、ユーザマニュアルのページ切り替えを連動させる場合について、実施例２（その２）として説明する。
【００５５】
一例として、リモートパネル画面３２の「コピー」領域Ｒ１０４（図１１参照）を操作してコピーの応用設定画面に遷移した際に、ユーザマニュアルの該当ページを自動表示する場合について説明する。図１２は、リモートパネル画面３２に関連する操作に、ユーザマニュアル画面３１に関連する操作を連動させる実施例２（その２）の表示例を示す図である。
【００５６】
実施例２（その２）では、以下の(1)〜(4)の処理が実行される。
(1) ブラウザ分割表示時に、図１２に矢印で示すように、リモートパネル画面３２の「コピー」領域Ｒ１０４を押下し、コピー画面に遷移させる。
(2) このとき、図３において、操作部制御部２１は画面が遷移したことを検知し、ブラウザ制御部２２に対してコピー画面へ遷移したことを通知する。ブラウザ制御部２２は、操作部制御部２１からの通知を受け、コピー画面への遷移が発生したことを認識すると、ユーザマニュアル画面３１をコピー画面説明ページに遷移させる。
(3) 続いて、リモートパネル画面３２の詳細設定ボタン（図示せず）を押下し、詳細設定画面へ遷移させる。
(4) (2)と同様に、ブラウザ制御部２２に詳細設定画面への遷移が通知され、ユーザマニュアル画面３１を詳細設定説明ページへ遷移させる。
【００５７】
図１３及び図１４は、リモートパネル画面に関連する操作と、ＨＴＭＬコンテンツ画面に関連する操作とを連動させる実施例２の表示処理の手順の一例を示すフローチャートである。この表示処理は、本体制御部１９のＣＰＵ１９１（図２参照）による制御の下に実行されるものとする。
【００５８】
図１３のフローチャートにおいて、ステップＳ３１のブラウザ分割表示処理は、図６のステップＳ１１〜Ｓ１４の処理であり、またステップＳ３２の処理は図６のステップＳ１５に対応している。これにより、ブラウザ上にユーザマニュアル画面３１とリモートパネル画面３２とが分割表示された状態にある。
【００５９】
続いて、ＣＰＵ１９１は、ＨＴＭＬコンテンツ（本例の場合、ユーザマニュアル）を操作したか否かを判断し（ステップＳ３３）、ＨＴＭＬコンテンツの操作と判断した場合（Ｓ３３のＹＥＳ）、ＨＴＭＬコンテンツのページ遷移が発生したか否かを監視する（ステップＳ３４）。そして、ＨＴＭＬコンテンツのページ遷移が発生したのであれば（Ｓ３４のＹＥＳ）、ブラウザ制御部２２が遷移先ページ情報を取得する（ステップＳ３５）。
【００６０】
次に、ＣＰＵ１９１は、操作部連動の必要ありか否か、即ちユーザマニュアル画面３１に関連する操作に、リモートパネル画面３２に関連する操作を連動させる必要があるか否かを判断し（ステップＳ３６）、連動の必要がなければ（Ｓ３６のＮＯ）、ステップＳ３４に戻る。連動の必要があれば（Ｓ３６のＹＥＳ）、ＣＰＵ１９１は、遷移先ページ情報から操作部操作情報を抽出し（ステップＳ３７）、次いで操作部制御部２１に操作部操作情報を送信する（ステップＳ３８）。そして、ＣＰＵ１９１は、操作部情報に従い操作部１１の操作を実行し（ステップＳ３９）、一連の処理を終了する。
【００６１】
一方、ＣＰＵ１９１は、ステップＳ３３でＨＴＭＬコンテンツの操作でないと判断した場合（Ｓ３３のＮＯ）、図１４のステップＳ４０に移行し、リモートパネルを操作したか否かを判断する。そして、ＣＰＵ１９１は、リモートパネルの操作でないと判断した場合は（Ｓ４０のＮＯ）、図１３のステップＳ３３に戻り、ＨＴＭＬコンテンツを操作したか否かを判断する。
【００６２】
ＣＰＵ１９１は、リモートパネルの操作と判断した場合（Ｓ４０のＹＥＳ）、リモートパネル操作により画面遷移が発生したか否かを監視する（ステップＳ４１）。この監視処理は、ステップＳ４１において、ＮＯのループを繰り返すことによって実行される。そして、リモートパネル操作による画面遷移が発生したのであれば（Ｓ４１のＹＥＳ）、操作部制御部２１が遷移先画面情報を取得する（ステップＳ４２）。
【００６３】
続いて、ＣＰＵ１９１は、ＨＴＭＬコンテンツ連動の必要ありか否か、即ちリモートパネル画面３２に関連する操作に、ユーザマニュアル画面３１に関連する操作を連動させる必要があるか否かを判断し（ステップＳ４３）、連動の必要がなければ（Ｓ４３のＮＯ）、ステップＳ４１に戻る。連動の必要があれば（Ｓ４３のＹＥＳ）、ＣＰＵ１９１は、遷移先画面情報をブラウザ制御部２２に通知し（ステップＳ４４）、これを受けてブラウザ制御部２２が遷移先画面情報から遷移先ページを抽出する（ステップＳ４５）。そして、ＣＰＵ１９１は、ＨＴＭＬコンテンツのページ遷移を実施し（ステップＳ４６）、一連の処理を終了する。
【００６４】
上述したように、実施例２によれば、ユーザマニュアル画面３１で機能の使用方法を調べると同時に操作部１１の画面が自動的に操作され、逆にリモートパネル画面３２により操作部１１の画面を操作すると、自動的にユーザマニュアル画面３１の該当ページが表示される。したがって、ユーザマニュアル画面３１のページ操作と操作部１１の操作を交互に行うといった煩雑な操作を行うこと無く、ＨＴＭＬコンテンツの一例であるユーザマニュアルの閲覧と操作部１１の操作とを同時に行うことができる。
【００６５】
なお、本実施例では、リモートパネルとユーザマニュアルとの同時表示（２分割表示）を例に挙げているが、ＨＴＭＬコンテンツとしてのユーザマニュアルは一例に過ぎない。ユーザマニュアルの他に、例えば、サービスアシスタントツールや広告表示スクリーンセーバーなどをリモートパネルと同時表示させ、それらに関連する操作を連動させるということも同様に可能である。
【００６６】
［制御プログラム］
以上説明した、本体制御部１９のＣＰＵ１９１による制御の下に実行される種々の処理は、コンピュータの一例であるＣＰＵ１９１に対するプログラムの命令によって実行される。これら種々の処理をＣＰＵ１９１に実行させる処理プログラム（本発明の制御プログラム）については、画像形成装置１が備える記憶部、例えば本体制御部１９のＲＯＭ１９２（図２参照）にあらかじめインストールしておくことが考えられる。ただし、これに限定されるものではなく、有線や無線による通信手段によって処理プログラムを提供することも可能であるし、コンピュータ読み取りが可能なＩＣカードやＵＳＢメモリ等の記憶媒体に処理プログラムを格納して提供することも可能である。
【００６７】
［変形例］
以上、本発明について実施形態を用いて説明したが、本発明は上記実施形態に記載の範囲には限定されない。すなわち、本発明の要旨を逸脱しない範囲内で上記実施形態に多様な変更または改良を加えることができ、そのような変更または改良を加えた形態も本発明の技術的範囲に含まれる。
【００６８】
例えば、上記実施形態では、１つのブラウザ（同じブラウザ）の起動の下に、リモートパネル画面とコンテンツ画面とを分割表示させるとしているが、異なるブラウザの起動の下に、リモートパネル画面とコンテンツ画面とを分割表示させるようにすることも可能である。
【符号の説明】
【００６９】
１…画像形成装置、  ２…クライアントＰＣ（端末装置）、  ３…通信回線、  ４…外部サーバ、  １０…ネットワークシステム、  １１…操作部、  １２…画像読取部、  １３…画像処理部、  １４…画像形成部、  １５…給紙部、  １６…定着部、  １９…本体制御部、  ２１…操作部制御部、  ２２…ブラウザ制御部、  ２３…内部ストレージ、  ３１…ユーザマニュアル画面、  ３２…リモートパネル画面
【図１】
0006269620.tif 000002
【図２】
0006269620.tif 000003
【図３】
0006269620.tif 000004
【図４】
0006269620.tif 000005
【図５】
0006269620.tif 000006
【図６】
0006269620.tif 000007
【図７】
0006269620.tif 000008
【図８】
0006269620.tif 000009
【図９】
0006269620.tif 000010
【図１０】
0006269620.tif 000011
【図１１】
0006269620.tif 000012
【図１２】
0006269620.tif 000013
【図１３】
0006269620.tif 000014
【図１４】
0006269620.tif 000015